(57)【要約】【課題】画像形成装置のレジストローラにおける用紙ジャム発生時に、一般ユーザが装置の復旧作業を容易に行うことができるようにする。【解決手段】画像形成装置１の本体２０側に、一方のレジストローラ７を回転自在に支持する軸受３４と、軸受を他方のレジストローラ８側に付勢するコイルバネ３５と、軸受を他方のレジストローラ側から支持する軸受支持部材５１と、軸受からその径方向に突出する突出部４５とを設け、軸受が、プロセスユニット１７の着脱に応じて所定方向に回動することで、軸受の突出部が、プロセスユニットの取外時には、付勢部材の付勢力に抗して軸受支持部材に当接する当接位置に移動するとともに、プロセスユニットの取付時には、軸受支持部材との当接を解除する当接解除位置に移動する構成とし、ユーザが、専門知識や高度な技術を必要とすることなく、用紙ジャム発生時の復旧作業を容易に行うことができるようにする。【選択図】図３
2009251201.tif 000002
【特許請求の範囲】
【請求項１】
画像形成装置における電子写真プロセスユニットの着脱構造であって、
前記画像形成装置の本体側には、
一対のレジストローラと、
一方のレジストローラを回転自在に支持する軸受と、
前記軸受を他方のレジストローラ側に付勢する付勢部材と、
前記付勢された軸受を前記他方のレジストローラ側から支持する軸受支持部材と、
前記軸受の外周面からその径方向に突出する突出部と
が設けられ、
前記軸受は、前記電子写真プロセスユニットの着脱の際に、当該電子写真プロセスユニットとの係合により所定方向に回動し、
前記軸受の突出部は、前記軸受の回動により、前記電子写真プロセスユニットの取外しの際には、前記付勢部材の付勢力に抗して前記軸受支持部材に当接する当接位置に移動して前記一方のレジストローラを前記他方のレジストローラから離間させるとともに、前記電子写真プロセスユニットの取付けの際には、前記軸受支持部材との当接を解除する当接解除位置に移動して前記の一方のレジストローラを前記他方のレジストローラに接触させることを特徴とする電子写真プロセスユニットの着脱構造。
【請求項２】
前記画像形成装置の本体側には、
前記軸受の外周部に接続された第１および第２レバー部が設けられるとともに、
前記電子写真プロセスユニットには、
前記本体からの取外しの際に、前記第１レバー部と係合して前記軸受を一方方向に回動させる第１係合部と、
前記本体に対する取付けの際に、前記第２レバー部と係合して前記軸受を他方方向に回動させる第２係合部と
が設けられ、
前記軸受の突出部は、前記軸受の前記一方方向への回動により前記当接位置に移動するとともに、前記軸受の前記他方方向への回動により前記当接解除位置に移動することを特徴とする請求項１に記載の電子写真プロセスユニットの着脱構造。
【請求項３】
前記画像形成装置の本体側には、
前記電子写真プロセスユニットの前記本体に対する着脱を案内するガイド部材が設けられ、
前記軸受支持部材は、前記ガイド部材の一部として形成されたことを特徴とする請求項１または請求項２に記載の電子写真プロセスユニットの着脱構造。
【請求項４】
前記軸受支持部材は、前記軸受の突出部と係合して当該突出部を前記当接位置に保持する保持部を有することを特徴とする請求項１乃至請求項３の何れかに記載の電子写真プロセスユニットの着脱構造。
【請求項５】
前記第１の係合部は、前記電子写真プロセスユニットの前記本体への取付けの際に、前記軸受の突出部が前記当接解除位置にある場合、前記第１のレバー部と係合して前記軸受を前記一方方向に回動させることを特徴とする請求項２に記載の電子写真プロセスユニットの着脱構造。
【請求項６】
請求項１乃至請求項４のいずれかに記載の電子写真プロセスユニットの着脱構造を備えた画像形成装置。
【発明の詳細な説明】
【技術分野】
【０００１】
本発明は、感光体や現像装置などが筐体に組み込まれて構成された電子写真プロセスユニットの装置本体への着脱構造及びこれを備えた画像形成装置に関する。
【背景技術】
【０００２】
近年、プリンター、ＦＡＸ、複合機等においては、ランニングコストの低減が重要な課題であり、中でも大きな割合を占めるメンテナンスコストの低減が重要となっている。そのため、消耗品をユニット化して、専門知識を有さない一般ユーザでも簡単に交換することができるようにし、専門のサービスエンジニアが訪問する回数を減らす等の取り組みがなされている。
【０００３】
また、そのような消耗品の交換と双璧をなす用紙ジャム発生時の対応も重要な課題であり、一般ユーザでも容易にジャム処理（詰まった用紙を取り除く等）を可能とするとともに、用紙を取り除いた後に清掃等の特別な処置を必要とせずに装置を復旧できる構成が望まれる。特に、レジストローラは用紙に対するトナーの転写位置に近接して設けられているので、前半部分にトナー像が転写された状態で用紙がレジストローラ間に挟まれてジャムした場合、処理の仕方によっては、トナーでレジストローラを汚してしまい、清掃が必要となることがある。
【０００４】
このような課題に対して、従来、用紙をトナー転写部に案内するガイド部材の一方が装置本体に対して回動可能に支持されており、これを回動して用紙搬送経路を開放すると共に、これに連動してレジストローラ対の一方を他方から離間させる構成とすることにより、用紙を簡単に取り出せるようにすることで、ユーザが簡単に処理できるようにした技術が知られている（特許文献１参照）。
【０００５】
また、用紙搬送部を構成するフレームを装置本体に対して回動させることにより、用紙搬送経路を開放可能な構成とすることで、用紙ジャム発生時には、そのフレームに保持される一方のレジストローラとプロセスカートリッジに保持される他方のレジストローラとを離間させてジャム処理を行う技術が知られている（特許文献２参照）。
【０００６】
【特許文献１】特開平３−２４９０４３号公報
【０００７】
【特許文献２】特開２００５−１０８１９号公報
【発明の開示】
【発明が解決しようとする課題】
【０００８】
上記特許文献１に開示された従来技術では、用紙ジャムの発生時にプロセスユニットを取外した後、ガイド部材の一方を回動させてレジストローラ対を互いに離間させることでジャム処理が容易となる。しかしながら、ジャム処理後にはガイド部材を元の状態に戻す操作が必要となり、ユーザがそのような操作を忘れてプロセスユニットを取付けると、装置に損傷を与えてしまうおそれがあった。また、互いに離間されたレジストローラ対は互いに近傍に位置するため、用紙の引き抜き方向によってはレジストローラをトナーで汚すおそれもあった。
【０００９】
また、上記特許文献２に開示された従来技術では、用紙搬送経路が大きく開放されてジャム処理が容易となるものの、レジストローラの一方を開放可能な筐体の一部に保持させる必要があるため、その配置に制約が生じ、また、レジストローラ対の位置精度を確保することが難しいという問題があった。またレジストローラの一方を消耗品として交換するプロセスカートリッジ側に設けているため、カートリッジのコストが上がるという問題もあった。
【００１０】
本発明は、このような従来技術の課題を鑑みて案出されたものであり、レジストローラにおける用紙ジャム発生時に、一般ユーザが専門知識や高度な技術を必要とすることなく装置の復旧作業を容易に行うことができる電子写真プロセスユニットの着脱構造及びこれを備えた画像形成装置提供することを目的とする。
【課題を解決するための手段】
【００１１】
本発明の電子写真プロセスユニットの着脱構造は、画像形成装置における電子写真プロセスユニットの着脱構造であって、前記画像形成装置の本体側には、一対のレジストローラと、一方のレジストローラを回転自在に支持する軸受と、前記軸受を他方のレジストローラ側に付勢する付勢部材と、前記付勢された軸受を前記他方のレジストローラ側から支持する軸受支持部材と、前記軸受の外周面からその径方向に突出する突出部とが設けられ、前記軸受は、前記電子写真プロセスユニットの着脱の際に、当該電子写真プロセスユニットとの係合により所定方向に回動し、前記軸受の突出部は、前記軸受の回動により、前記電子写真プロセスユニットの取外しの際には、前記付勢部材の付勢力に抗して前記軸受支持部材に当接する当接位置に移動して前記一方のレジストローラを前記他方のレジストローラから離間させるとともに、前記電子写真プロセスユニットの取付けの際には、前記軸受支持部材との当接を解除する当接解除位置に移動して前記の一方のレジストローラを前記他方のレジストローラに接触させることを特徴とする。
【発明の効果】
【００１２】
このように本発明によれば、レジストローラにおいて用紙ジャムが発生した場合、電子写真プロセスユニットを本体から取外すことによりジャム処理が可能となるとともに、ジャム処理後は、電子写真プロセスユニットを本体に取付けることにより装置を復帰させることができるという優れた効果を奏する。
【発明を実施するための最良の形態】
【００１３】
上記課題を解決するためになされた第１の発明は、画像形成装置における電子写真プロセスユニットの着脱構造であって、前記画像形成装置の本体側には、一対のレジストローラと、一方のレジストローラを回転自在に支持する軸受と、前記軸受を他方のレジストローラ側に付勢する付勢部材と、前記付勢された軸受を前記他方のレジストローラ側から支持する軸受支持部材と、前記軸受の外周面からその径方向に突出する突出部とが設けられ、前記軸受は、前記電子写真プロセスユニットの着脱の際に、当該電子写真プロセスユニットとの係合により所定方向に回動し、前記軸受の突出部は、前記軸受の回動により、前記電子写真プロセスユニットの取外しの際には、前記付勢部材の付勢力に抗して前記軸受支持部材に当接する当接位置に移動して前記一方のレジストローラを前記他方のレジストローラから離間させるとともに、前記電子写真プロセスユニットの取付けの際には、前記軸受支持部材との当接を解除する当接解除位置に移動して前記の一方のレジストローラを前記他方のレジストローラに接触させる構成とする。
【００１４】
これによると、レジストローラにおいて用紙ジャムが発生した場合、電子写真プロセスユニットを本体から取外すことによりジャム処理が可能となるとともに、ジャム処理後は、電子写真プロセスユニットを本体に取付けることにより装置を復帰させることができる。従って、レジストローラにおける用紙ジャム発生時に、一般ユーザが専門知識や高度な技術を必要とすることなく装置の復旧作業を容易に行うことができる。
【００１５】
また、レジストローラを電子写真プロセスユニットに設けない構成であるため、消耗品である電子写真プロセスユニットの交換コストを低減できるという利点もある。
【００１６】
上記課題を解決するためになされた第２の発明は、前記画像形成装置の本体側には、前記軸受の外周部に接続された第１および第２レバー部が設けられるとともに、前記電子写真プロセスユニットには、前記本体からの取外しの際に、前記第１レバー部と係合して前記軸受を一方方向に回動させる第１係合部と、前記本体に対する取付けの際に、前記第２レバー部と係合して前記軸受を他方方向に回動させる第２係合部とが設けられ、前記軸受の突出部は、前記軸受の前記一方方向への回動により前記当接位置に移動するとともに、前記軸受の前記他方方向への回動により前記当接解除位置に移動する構成とすることができる。
【００１７】
これによると、簡易な構成により、前記電子写真プロセスユニットの着脱に応じて、レジストローラを互いに離間または接触させることが可能となる。
【００１８】
上記課題を解決するためになされた第３の発明は、前記画像形成装置の本体側には、前記電子写真プロセスユニットの前記本体に対する着脱を案内するガイド部材が設けられ、前記軸受支持部材は、前記ガイド部材の一部として形成された構成とすることができる。
【００１９】
これによると、ユーザは電子写真プロセスユニットの着脱が容易となるとともに、軸受支持部材を簡易に形成することができる。また、軸受に支持される一方のレジストローラを取外す必要が生じた場合でも、そのレジストローラの本体に対する着脱をガイド部材によって容易に行うことができるという利点もある。
【００２０】
上記課題を解決するためになされた第４の発明は、前記軸受支持部材は、前記軸受の突出部と係合して当該突出部を前記当接位置に保持する保持部を有する構成とすることができる。
【００２１】
これによると、レジストローラを互いに離間させた状態を安定的に維持することが可能となる。
【００２２】
上記課題を解決するためになされた第５の発明は、前記第１の係合部は、前記電子写真プロセスユニットの前記本体への取付けの際に、前記軸受の突出部が前記当接解除位置にある場合、前記第１のレバー部と係合して前記軸受を前記一方方向に回動させる構成とすることができる。
【００２３】
これによると、ユーザが、電子写真プロセスユニットを取外した後に、誤って軸受を回動させて突出部を当接解除位置に移動させた（即ち、レジストローラを互いに接触させた）場合でも、再び電子写真プロセスユニットを取付ける際に、レジストローラを一旦互いに離間させた後に、適切な状態で接触させることが可能となる。
【００２４】
上記課題を解決するためになされた第６の発明は、第１乃至第５の発明のいずれかに記載の電子写真プロセスユニットの着脱構造を備えた画像形成装置である。
【００２５】
以下、本発明の実施の形態について図面を参照しながら説明する。
【００２６】
図１は本発明の実施形態に係る画像形成装置の概略を示す模式的な断面図であり、図２は図１の画像形成装置において電子写真プロセスユニットを取外した状態を示す断面図である。
【００２７】
図１に示すように、画像形成装置１は、原稿画像を読み取る原稿読取部２と、読み取った原稿画像を電子写真方式により記録紙Ｐ上に形成する画像形成部３と、記録紙上に転写された未定着トナー像の定着処理を行う定着部４とを備えている。この画像形成装置１において、給紙カセット５にセットされた記録紙Ｐは、搬送経路６上に配置された上下一対のレジストローラ（用紙搬送ローラ）７，８によって、その先端位置が補正されるとともに所定のタイミングで画像形成部３に送られ、そこで記録面にトナー像が転写された後、さらに搬送経路６に沿って定着部４に送られ、そこで記録面のトナー像が定着されて排紙トレイ９上に排出される。
【００２８】
画像形成部３は、感光体ドラム１１と、この感光体ドラム１１上に露光用の光ビームを照射して静電潜像を形成するＬＳＵ（Laser Scanning Unit）１２と、感光体ドラム１１上に現像ローラ１３でトナーを供給して静電潜像を現像する現像器１４と、感光体ドラム１１上に形成されたトナー像を記録紙Ｐ上に転写する転写ローラ１５とを有している。ここで、感光体ドラム１１や現像器１４等は、消耗時の交換を容易とするために、１つの筐体１６に組み込まれて電子写真プロセスユニット（以下、単に「プロセスユニット」と称する。）１７を構成している。
【００２９】
プロセスユニット１７は、装置本体２０に対して着脱可能に設けられいる。図２に示すように、ユーザは、開閉扉２１を開放した状態で、プロセスユニット１７を装置本体２０に対して着脱することができる。プロセスユニット１７の構成要素は、本実施形態で示す感光体ドラム１１や現像器１４等に限定されるものではなく、種々の変更が可能である。ただし、上側レジストローラ７をプロセスユニット１７に設けない構成とすることで、消耗品であるプロセスユニット１７の交換コストを低減できるという利点がある。
【００３０】
定着部４は、加熱ローラ２２及び加圧ローラ２３を有し、これらのローラによる加熱と加圧の作用により記録紙Ｐ上のトナー像を定着させる処理を行う。
【００３１】
図３は図１に示したプロセスユニットの着脱構造を示す模式図である。ここでは、プロセスユニット１７は取付けまたは取外し途中の状態にあり、プロセスユニット１７の一方側（図１における紙面奥側）における構造のみが示されている（図６〜図８、図１１〜図１４も同様）。なお、他方側（図１における紙面手前側）についても一方側と同様に構成することが可能である。
【００３２】
図３に示すように、装置本体２０の側壁２０ａの内面には、プロセスユニット１７の着脱を案内する２つのガイド部材（第１ガイド溝３１、第２ガイド溝３２）が設けられている。第１ガイド溝３１の前部に設けられた軸受保持部（軸受支持部材）３３には、上側レジストローラ７を回転自在に支持する軸受３４が保持されており、この軸受３４は、装置本体２０に取付けられたねじりコイルバネ（付勢部材）３５によって下方（下側レジストローラ８側）に付勢されている。なお、軸受３４の付勢は、コイルバネに限らず、周知の付勢部材（例えば、弾性に富む樹脂等）または付勢機構を用いて実現することができる。また、第１ガイド溝３１は、軸受３４に支持される上側レジストローラ７を取外す必要が生じた場合に、その軸受保持部３３への着脱をガイドする役割も果たす。
【００３３】
軸受３４は、図４に示すように、上側レジストローラ７の軸が挿入される軸孔４０が設けられた大径円筒部４１および小径円筒部４２を有する。大径円筒部４１の外周面には、第１レバー部４３および第２レバー部４４がそれぞれ接続されている。小径円筒部４２には、その外周面から径方向に突出する突出部４５が設けられている。
【００３４】
詳細は後述するが、第１レバー部４３において略鎌刃状を呈する先端部の下側の略弧状をなす周縁部４３ａは、プロセスユニット１７の着脱の際にその一部と係合する従動面を形成し、これにより、軸受３４が所定方向に回動される。同様に、第２レバー部４４の上側の周縁部４４ａは、プロセスユニット１７の取付けの際にその一部と係合する従動面を形成し、これにより、軸受３４が所定方向に回動される。また、第１レバー部４３の背面側には、軸受３４の回動動作を規制する回動規制部材４６が設けられている（図１５参照）。
【００３５】
軸受保持部３３は、図５の拡大図にも示すように、付勢された軸受３４の下部を支持する水平片（軸受支持部材）５１と、この水平片５１の左右端に接続された左右の垂直片５２，５３とから構成された略コ字状を呈する部位である。軸受保持部３３は、開放された上方から軸受３４の小径円筒部４２を挿入可能なように構成されており、垂直片５２，５３間の距離は、軸受３４の小径円筒部４２の外径に適合するように設定されている。
【００３６】
図５において、軸受３４の突出部４５は、ねじりコイルバネ３５の付勢力に抗して軸受保持部３３の水平片５１に当接する位置（以下、「当接位置」と称する。）にあり、これにより、上側レジストローラ７は下側レジストローラ８から離間された状態にある。軸受保持部３３の水平片５１の中央付近には、凸状部（保持部）５１ａが設けられており、この凸状部５１ａが、軸受３４の突出部４５の先端に設けられた凹状部４５ａに嵌入されることで、突出部４５が当接位置に安定的に保持されている。これにより、レジストローラ７，８を互いに離間させた状態を安定的に維持することが可能となる。なお、突出部４５の突出の程度を調節することで、レジストローラ７，８間の離間距離を調節することが可能である。
【００３７】
また、図３に示すように、プロセスユニット１７は、その筐体の側面パネル６１に、軸受３４の第１レバー部４３と係合する第１係合部６２と、第２レバー部４４と係合する第２係合部６３とが設けられている。第１係合部６２は、円形部６２ａと、この円形部６２ａから前下方（挿入方向下方）に突出するように設けられた鋭角部６２ｂとを有し、また、第２係合部６３は、側面パネル６１から側方（ここでは、紙面奥側）に延出するピン状の部材からなる。また、側面パネル６１からは、感光体ドラム軸６４が側方（ここでは、紙面奥側）に延出している。プロセスユニット１７の着脱の際には、第１係合部６２が第１ガイド溝３１によって案内されるとともに、感光体ドラム軸６４が第２ガイド溝３２によって案内される。
【００３８】
図６〜図８はプロセスユニットを装置本体から取外す一連の様子を示す模式図であり、図９はプロセスユニット着脱時の軸受周辺の詳細構成を示す斜視図である。プロセスユニットは、ユーザによって図６に示す正規の装着位置から引き出され、図７、図８、図３に示す状態を順に経て取外される。
【００３９】
プロセスユニット１７が図６に示すような正規の装着位置にある場合、図１０に拡大して示すように、軸受３４の突出部４５は、軸受保持部３３（水平片５１）との当接を解除された位置（以下、「当接解除位置」と称する。）にあり、これにより、上側レジストローラ７は下側レジストローラ８と互いに接触した状態にある。また、このとき、図９に想像線で示すように、第１係合部６２の円形部６２ａは、軸受３４における第１レバー部４３の周縁部４３ａの後部に接した状態にある。
【００４０】
レジストローラ７，８における用紙ジャムの発生により、装置本体２０からプロセスユニット１７を取外す必要が生じた場合、ユーザは、まず、図７に示すように、感光体ドラム軸６４を中心にプロセスユニット１７の後部を上方に回動させる。このとき、第１係合部６２の円形部６２ａが第１レバー部４３の周縁部４３ａを上方に押し上げ、軸受３４は、レジストローラ７，８を離間させる第１の方向（図７における反時計回り方向）に回動される。
【００４１】
その後、ユーザは、図８に示すように、プロセスユニット１７の後部を更に上方に回動させながら、プロセスユニット１７を引き抜き方向に移動させる。このとき、第１係合部６２の円形部６２ａが第１レバー部４３の周縁部４３ａを更に上方に押し上げ、図９に実線で示すように、軸受３４が第１の方向に更に回動される。これにより、軸受３４の突出部４５が当接位置（図５参照）に移動し、レジストローラ７，８が互いに離間した状態となる。
【００４２】
その後、プロセスユニット１７が装置本体２０から完全に引き抜かれて取外しが完了すると、レジストローラ７，８互いに離間された状態にあるため、ユーザは容易にジャム処理を行うことが可能となる。
【００４３】
図１１〜図１３はプロセスユニットを装置本体に対して取付ける一連の様子を示す模式図である。プロセスユニットは、図１１に示すように、ユーザによって装置本体に差し込まれ、図１２に示す状態を経て、図１３に示すように取付けられる。
【００４４】
図１１に示すように、装置本体２０に差し込まれたプロセスユニット１７は、第１係合部６２が第１ガイド溝３１によって案内されるとともに、感光体ドラム軸６４が第２ガイド溝３２によって案内されることにより、正規の装着位置へと導かれる。このとき、軸受３４の突出部４５は図５に示した当接位置にある。
【００４５】
その後、図１２に示すように、感光体ドラム軸６４が第２ガイド溝３２の先端部３２ａまで到達すると、第２係合部６３が第２レバー部４４の上側に位置する周縁部４４ａの傾斜した部位に接触する（図９に一点鎖線で示す第２係合部６３を参照）。
【００４６】
この図１２に示した状態から、感光体ドラム軸６４を中心にプロセスユニット１７の後部を下方に回動させることで、図１３に示すように、プロセスユニット１７が正規の装着位置に取付けられる。このとき、その第２係合部６３が軸受３４の第２レバー部４４の周縁部４４ａを押し下げながら前下方（図１３における左下方）に移動することで、軸受３４は、レジストローラ７，８の離間状態を解除する第２の方向（図７における時計回り方向）に回動され、図９に想像線で示す位置に至る。
【００４７】
その後、プロセスユニット１７が装置本体２０に差し込まれて取付けが完了すると、レジストローラ７，８互いに接触状態となり、これにより、ユーザは容易に装置を復旧させることができる。
【００４８】
図１１では、プロセスユニット１７の取付けの際に軸受３４の突出部４５が当接位置にある場合を示したが、プロセスユニット１７を取外した後にジャム処理を実行するユーザが軸受３４に触れるなどして、軸受３４の突出部４５が当接位置から当接解除位置に戻されてしまう場合がある。このような状態でユーザがプロセスユニット１７を装置本体２０に挿入した場合には、図１４に示すように、第１係合部６２の鋭角部６２ｂが第１レバー部４３の周縁部４３ａの前端部に当接し、ユーザがプロセスユニット１７を更に装置本体２０側に押し込むことで、この鋭角部６２ｂにより第１レバー部４３の周縁部４３ａが押し上げられて図１１に示した状態に至る。
【００４９】
このような構成により、ユーザが、プロセスユニット１７を取外した後に、誤って軸受３４を回動させて突出部を当接解除位置に移動させた（即ち、レジストローラ７，８を互いに接触させた）場合でも、ユーザは、プロセスユニット１７を取付ける際に、特別な操作を必要とせずに、レジストローラ７，８を一旦互いに離間させた後に、適切な状態で接触させることが可能となる。
【００５０】
なお、上記のようなプロセスユニット１７の着脱時には、図１５に示すように、第１レバー部４３の背面に設けられた回動規制部材４６によって軸受３４の回動範囲が制限される。即ち、軸受３４が第１方向に回動した場合、図１５に実線で示すように、回動規制部材４６が第１ガイド溝３１の上壁３１ａに当接してその回動が規制される一方、軸受３４が第２方向に回動した場合、図１５に想像線で示すように、回動規制部材４６が第１ガイド溝３１の下壁３１ｂに当接してその回動が規制されることになる。
【産業上の利用可能性】
【００５１】
本発明に係る電子写真プロセスユニットの着脱構造及びこれを備えた画像形成装置は、レジストローラにおける用紙ジャム発生時に、一般ユーザが専門知識や高度な技術を必要とすることなく装置の復旧作業を容易に行うことを可能とし、感光体や現像装置などが筐体に組み込まれて構成された電子写真プロセスユニットの装置本体への着脱構造及びこれを備えた画像形成装置として有用である。
【図面の簡単な説明】
【００５２】
【図１】実施形態に係る画像形成装置の概略を示す模式的断面図
【図２】プロセスユニットを取外した状態の画像形成装置を示す断面図
【図３】プロセスユニットの着脱構造を示す模式図
【図４】背面側から見た軸受の斜視図
【図５】図３における軸受周辺の拡大図
【図６】プロセスユニットを装置本体から取外す様子を示す模式図
【図７】プロセスユニットを装置本体から取外す様子を示す模式図
【図８】プロセスユニットを装置本体から取外す様子を示す模式図
【図９】軸受周辺の詳細構造を示す斜視図
【図１０】図６における軸受周辺の拡大図
【図１１】プロセスユニットを装置本体に取付ける様子を示す模式図
【図１２】プロセスユニットを装置本体に取付ける様子を示す模式図
【図１３】プロセスユニットを装置本体に取付ける様子を示す模式図
【図１４】図６の変形例を示す図
【図１５】第１レバー部の回動動作の説明図
【符号の説明】
【００５３】
１  画像形成装置
３  画像形成部
７，８  レジストローラ
１１  感光体ドラム
１６  筐体
１７  電子写真プロセスユニット
２０  本体
２１  開閉扉
３１  第１ガイド溝
３２  第２ガイド溝
３３  軸受保持部
３４  軸受
３５  ねじりコイルバネ
４０  軸孔
４１  大径円筒部
４２  小径円筒部
４３  第１レバー部
４４  第２レバー部
４５  突出部
４６  回動規制部材
５１ａ  凸状部
４５ａ  凹状部
６１  側面パネル
６２  第１係合部
６２ａ  円形部
６２ｂ  鋭角部
６３  第２係合部
６４  感光体ドラム軸
【図１】
2009251201.tif 000003
【図２】
2009251201.tif 000004
【図３】
2009251201.tif 000005
【図４】
2009251201.tif 000006
【図５】
2009251201.tif 000007
【図６】
2009251201.tif 000008
【図７】
2009251201.tif 000009
【図８】
2009251201.tif 000010
【図９】
2009251201.tif 000011
【図１０】
2009251201.tif 000012
【図１１】
2009251201.tif 000013
【図１２】
2009251201.tif 000014
【図１３】
2009251201.tif 000015
【図１４】
2009251201.tif 000016
【図１５】
2009251201.tif 000017